(57)【要約】【課題】浴槽への湯張り時間を注湯時間以外に、湯張り動作に関連する時間も加味して報知することで、実際の湯張り動作に即した湯張り時間を報知することを目的とする。【解決手段】流量計測装置２を配し給湯熱交換器３で加熱された湯を供給する給湯回路と、この給湯回路より分岐し開閉弁４を介して供給される湯を浴槽１１に送る風呂回路を備え、設定された湯張り温度と湯張り量に自動的にお湯張りをする風呂給湯装置において、自動お湯張りしているときに、リモコン６に入力された設定湯量と前記流量計測装置２で検出される流量の積算値より残りのお湯張り量（残流量）を求め、この残流量と現在流れている流量から求めた残りのお湯張り予想時間に、過去の自動お湯張り時の計算時間と実績時間の差より求めた補正値を加算または減算して補正後のお湯張り予想時間を求め、この時間をリモコン画面７に表示するようにしてある。【選択図】  図１
2004347226.tif 000002
【特許請求の範囲】
【請求項１】
流量計測装置を配し給湯熱交換器で加熱された湯を供給する給湯回路と、この給湯回路より分岐し開閉弁を介して供給される湯を浴槽に送る風呂回路を備え、設定された湯張り温度と湯張り量に自動的にお湯張りをする風呂給湯装置において、自動お湯張りしているときに、リモコンに入力された設定湯量と前記流量計測装置で検出される流量の積算値より残りのお湯張り量（残流量）を求め、この残流量と現在流れている流量から求めた残りのお湯張り予想時間に、過去の自動お湯張り時の計算時間と実績時間の差より求めた補正値を加算または減算して補正後のお湯張り予想時間を求め、この時間をリモコン画面に表示する機能を有する風呂給湯装置。
【請求項２】
流量計測装置を配し給湯熱交換器で加熱された湯を供給する給湯回路と、この給湯回路より分岐し開閉弁を介して供給される湯を浴槽に送る風呂回路と、この風呂回路に浴槽内の水位を検知する水位計測装置を備え、設定された湯張り温度と湯張り水位に自動的にお湯張りをする風呂給湯装置において、自動的にお湯張りするときに、前回のお湯張り時に測定した総お湯張り量と前記流量計測装置で検出される流量の積算値より残りのお湯張り量（残流量）を求め、この残流量と現在流れている流量から求めた残りのお湯張り予想時間に、過去の自動お湯張り時の計算時間と実績時間の差より求めた補正値を加算または減算して補正後のお湯張り予想時間を求め、この時間をリモコン画面に表示する機能を有する風呂給湯装置。
【請求項３】
お湯張りが完了する予想時間の一定時間前に、音声でお湯張り完了までの残り時間を報知する機能を有する請求項１または２記載の風呂給湯装置。
【発明の詳細な説明】
【０００１】
【発明の属する技術分野】
本発明は設定された湯温と湯量または湯温と水位に自動的にお湯張りをする風呂給湯装置に関するものである。
【０００２】
【従来の技術】
従来この種の風呂給湯装置は、給水圧の変動がある場合にも対応できるように、単位時間当たりの給湯量を記憶し、設定された水量の湯を浴槽内に自動お湯張りする際、残りの給湯必要量と記憶された単位時間当たりの給湯量とから給湯残り時間を求める際に、実際の単位時間当たりの給湯量を検知し、記憶された単位時間当たりの給湯量との差に応じて記憶されている単位時間当たりの給湯量を、修正量を制限して修正するようにしている。
【０００３】
図５は、従来の風呂給湯装置のお湯張り手順を示すフローチャートである。お湯張りが開始されると、フラグＦを０にリセットし（Ｓ４１）、お湯張りが開始される。制御装置内のメモリには、単位時間内の給湯量ｑが格納されており、それを呼び出す（Ｓ４２）。総給湯量は既知で、上記ｑを用いて残りお湯張り時間ＴをＴ＝Ｑ／ｑにより求める（Ｓ４３）。お湯張り開始から１０秒程度は給湯量が安定しないので、１０秒経過した後の単位時間当たりの給湯量ｑ０を流量センサーで検知し、上記メモリに格納されているｑを修正する。（Ｓ４４・Ｓ４５・Ｓ４６）。この修正は、｜ｑ０−ｑ｜＜０．３リットル／分であればｑを修正しない等の条件があるが、風呂給湯装置の能力やその他の要素によって適宣設定する。給湯残り時間５分以下になるまで、Ｓ４２に戻り、修正されたｑを用いてＴを更新する。Ｔが残り５分以下になると例えば音声によりお湯張り終了まで５分になった事を報知して、フラグＦを１にセットする（Ｓ４８・Ｓ４９・Ｓ５０）。その後Ｔが０になるまでＳ４２に戻ってお湯張りを続けるが（Ｓ５１）、一度Ｓ４９で報知した後に再びＳ４７でＴが５分以下と判断されてもＳ４８からＳ５１に飛んで２度目の報知は行なわない。そして最後までｑを更新し続けながら、Ｔが０になった時点でお湯張り動作を終了する（Ｓ５１）（例えば、特許文献１参照）。
【０００４】
【特許文献１】
特開２０００−１１１１４８号公報
【０００５】
【発明が解決しようとする課題】
しかしながら上記従来の構成では、浴槽に所定量のお湯を張るために必要な時間のみを計測し、報知するものであり、それ以外の湯張り動作に関連する種々の時間、例えば、浴槽に所定量のお湯を張った後、浴槽内の温度が設定温度に満たなかった時に行なう追い焚き運転に必要な時間や、お湯張りを開始する時に浴槽に残り湯が有るか無いかを確認するための風呂ポンプ運転時間や、浴槽の水位を測定する時にお湯を張りながら浴槽の水位を測ることが出来ないので、お湯張りを一旦停止する時間が必要であるが、それにかかる時間、などが考慮されていないので、湯張り動作に関連する時間を含めた残りお湯張り時間という観点で、正確な表示ができていないという課題を有していた。また、使用者への報知も１度だけで、リアルタイムに表示するというものではなかった。
【０００６】
本発明は上記従来の課題を解決するもので、正確な残りお湯張り時間を、使用する人に報知する手段を提供することを目的とする。
【０００７】
【発明を解決するための手段】
上記従来の課題を解決するために本発明の給湯風呂装置は、自動お湯張りしているときの流量積算値と、リモコンに入力された設定湯量と、現在流れている流量とで計算した残りのお湯張り予想時間を、過去の自動お湯張り時の計算時間と実績時間の差の関数で補正して求めようにしたものである。
【０００８】
上記発明によれば、お湯を張っている以外に必要な時間、例えば、追い焚き運転や、ポンプの循環動作時間や、水位検知のために必要な時間を考慮した、正確なお湯張り予想時間を計算することができ、かつリアルタイムでその表示ができる。
【０００９】
【発明の実施の形態】
請求項１に記載の発明は、流量計測装置を配し給湯熱交換器で加熱された湯を供給する給湯回路と、この給湯回路より分岐し開閉弁を介して供給される湯を浴槽に送る風呂回路を備え、設定された湯張り温度と湯張り量に自動的にお湯張りをする風呂給湯装置において、自動お湯張りしているときに、リモコンに入力された設定湯量と前記流量計測装置で検出される流量の積算値より残りのお湯張り量（残流量）を求め、この残流量と現在流れている流量から求めた残りのお湯張り予想時間に、過去の自動お湯張り時の計算時間と実績時間の差より求めた補正値を加算または減算して補正後のお湯張り予想時間を求め、この時間をリモコン画面に表示する機能を有することを特徴としたもので、浴槽内の温度が設定温度に満たなかった時に行なう追い焚き運転に必要な時間や、お湯張りを開始する時に浴槽に残り湯が有るか無いかを確認するための風呂ポンプ運転時間、を考慮することができ、正確なお湯張り完了時間を報知できる使い勝手のよい風呂給湯装置を提供することができる。
【００１０】
請求項２の発明は、流量計測装置を配し給湯熱交換器で加熱された湯を供給する給湯回路と、この給湯回路より分岐し開閉弁を介して供給される湯を浴槽に送る風呂回路と、この風呂回路に浴槽内の水位を検知する水位計測装置を備え、設定された湯張り温度と湯張り水位に自動的にお湯張りをする風呂給湯装置において、自動的にお湯張りするときに、前回のお湯張り時に測定した総お湯張り量と前記流量計測装置で検出される流量の積算値より残りのお湯張り量（残流量）を求め、この残流量と現在流れている流量から求めた残りのお湯張り予想時間に、過去の自動お湯張り時の計算時間と実績時間の差より求めた補正値を加算または減算して補正後のお湯張り予想時間を求め、この時間をリモコン画面に表示する機能を有することを特徴としたもので、浴槽内の温度が設定温度に満たなかった時に行なう追い焚き運転に必要な時間や、お湯張りを開始する時に浴槽に残り湯が有るか無いかを確認するための風呂ポンプ運転時間、浴槽の水位を測定する為の時間を考慮する事が出来、正確なお湯張り完了時間を報知できる使い勝手の良い風呂給湯装置を提供する事が出来る。
【００１１】
請求項３に記載の発明は、お湯張りが完了する予想時間の一定時間前に、音声でお湯張り完了までの残り時間を報知する機能を有することを特徴としたもので、使用者にリモコンの画面を見なくてもお湯張りが完了した事を報知する事が出来、使い勝手の良い風呂給湯装置を提供する事が出来る。
【００１２】
【実施例】
以下、本発明の実施例について図面を用いて説明する。
【００１３】
（実施例１）
図１は、本発明の実施例１における風呂給湯装置の全体構成図を示すものである。
【００１４】
図１において、１は風呂給湯装置で、入水側から、流量測定装置２、給湯熱交換器３と接続され、ガス、電気等の熱源で熱せられたお湯が、湯出口から出るようになっている。一方、湯出口から分岐し開閉弁４を介して風呂回路と接続され、浴槽１１ともつながっている。前記風呂回路には、浴槽１１のお湯を循環させるための循環ポンプ９や風呂熱交換器１０が設けられている。また、風呂給湯装置１には、制御装置５が設けられ、リモコン６などの入力装置や流量測定装置２などのセンサー類、開閉弁４、循環ポンプ９などのアクチエーターと電気的に接続されている。
【００１５】
以上のように構成された風呂給湯装置について、図３のフローチャートを用いて、その動作、作用を説明する。
【００１６】
自動お湯張り運転を行う時は、リモコン６に設定温度と設定湯量を入力した後、自動お湯張りスイッチを押すと、開閉弁４が開き、給湯熱交換器３で加熱された湯が浴槽１１に供給される。この時、流量測定装置２で流量ｑを計測し流量の積算も開始する（Ｓ１）。
【００１７】
そして、流量の積分値からお湯張り量を積算しながら、この積算値とリモコン６に入力された設定湯量を用いて、その時点における浴槽１１に供給するために必要な残流量Ｑを下記の計算式で計算する（Ｓ２）。
【００１８】
残流量Ｑ＝設定湯量Ｑ０−お湯張り積算値
そして、Ｓ１で計測されている流量ｑを用いて、お湯張り時間Ｔを下記の計算式で計算し、その値を記憶素子に記憶させる（Ｓ３）。
【００１９】
お湯張り時間Ｔ＝残流量Ｑ／流量ｑ
上記計算で求めたお湯張り時間Ｔは、お湯張りにのみかかる時間であって、浴槽１１に残湯があるかどうかをチェックするための循環ポンプ９の運転時間や、お湯張り後の追い焚き運転にかかる時間は考慮されていない。そこで、メモリー（記憶素子）に書き込まれている過去の補正値ΔＴ、つまり所定の湯量を供給するためにかかる時間以外の湯張り動作に関連する時間、を呼び出して（Ｓ４）、補正後のお湯張り時間Ｔ′を下記のように計算する（Ｓ５）。
【００２０】
補正後お湯張り時間Ｔ′＝お湯張り時間Ｔ＋補正値ΔＴ
そして上記補正後お湯張り時間Ｔ′を、リモコン６の画面７にＴ′＝０になるまで、時間経過と共に減算しながら表示し（Ｓ６）、使用者にお湯張り完了までの時間を報知するようにしたもので、湯張り完了までの時間がリアルタイムに確認することができ、使い勝手のよい風呂給湯装置を提供することができる。
【００２１】
また、お湯張り完了時間を表示している時、例えば、０．５Ｌ／分以上の流量ｑの変化が１分以上あった場合（Ｓ７）、それまでの積算流量から残流量Ｑを再計算し、流量変化分からＴ′の増減分を計算し、Ｓ６のＴ′に加算または減算する（Ｓ１２）。つまり、リモコン６の画面７に湯張り完了時間の減算表示がなされた後に、流量変化が確認された場合は、再度、残り湯張り時間の計算を行うようにして、正確な残り湯張り時間を報知するようにしてある。
【００２２】
また、Ｓ６の残り湯張り時間Ｔ′が時間の経過と共に０になったとき（Ｓ８）、Ｓ１３で設定お湯張り量になったか否かを判断し、この時、一定時間の誤差（例えば、３０秒以内）で設定お湯張り量を終了していれば、補正後お湯張り時間Ｔ′を総お湯張り時間Ｔｔとして記憶する（Ｓ１１）。未だ終了していない場合は、それまでの積算流量から残流量Ｑを再計算し、その値と流量ｑとでＴ′を計算して（Ｔ′＝Ｑ／ｑ）、Ｓ６に加算する（Ｓ１４）。
【００２３】
一方、Ｓ６のＴ′が０になっていないにもかかわらず、設定お湯張り量を終了した場合は（Ｓ９）、直ちにＴ′＝０を表示し（Ｓ１０）、それまでの総お湯張り時間Ｔｔを記憶する（Ｓ１１）。そして最後に、この総お湯張り時間Ｔｔと、Ｓ３で計算、記憶したお湯張り時間Ｔとを用いて、ΔＴを計算し（ΔＴ＝Ｔｔ−Ｔ）、次回のお湯張りに使用する（Ｓ１５）。
【００２４】
（実施例２）
図２は、本発明の実施例２における風呂給湯装置の全体構成図を示すものである。
【００２５】
風呂ポンプ９の手前に、浴槽水位を検出する水位計測装置１２を設けたもので、他の構成は実施例１と同様であるため、同一番号を付記して説明は省略する。
【００２６】
以上のように構成された風呂給湯装置について、図４のフローチャートを用いて、その動作、作用を説明する。
【００２７】
自動お湯張り運転を行う時は、リモコン６に設定温度と設定水位を入力した後、自動お湯張りスイッチを押すと、前回と同じ水位設定の場合、メモリーに記憶している前回お湯張りした時の総お湯張り量を呼び出し（Ｓ２０）、開閉弁４が開くと共に、流量ｑを計測し積算を開始する（Ｓ２１）。流量の積分値からお湯張り量を積算しながら、Ｓ２０で呼び出された総お湯張り量を用いて、残流量Ｑを下記の計算式で計算する（Ｓ２２）。
【００２８】
残流量Ｑ＝前回の総お湯張り量Ｑ０−お湯張り積算値
そして、Ｓ２１で計測されている流量ｑを用いて、お湯張り時間Ｔを下記の式のように計算し、その値を記憶素子に記憶させる（Ｓ２３）。
【００２９】
お湯張り時間Ｔ＝残流量Ｑ／流量ｑ
上記計算で求めたお湯張り時間Ｔは、お湯張りにのみかかる時間であって、浴槽１１に残湯があるかどうかをチェックする為の循環ポンプ９の運転時間や、お湯張り後の追い焚き運転にかかる時間、水位を検出している時間を考慮していない。そこで、メモリー（記憶素子）に書き込まれている補正値ΔＴを呼び出して（Ｓ２４）、補正後のお湯張り時間Ｔ′を下記のように計算する（Ｓ２５）。
【００３０】
補正後お湯張り時間Ｔ′＝お湯張り時間Ｔ＋補正値ΔＴ
そしてその値を、リモコン６の画面７にＴ′＝０になるまで時間経過と共に減算しながら表示し（Ｓ２６）、本装置の使用者にお湯張り完了までの正確な時間を知らせることが出来使い勝手の良い風呂給湯装置を提供する事が出来る。
【００３１】
お湯張り完了時間を表示している時、例えば、０．５Ｌ／分以上の流量ｑの変化が１分以上あった場合（Ｓ２７）、それまでの積算流量から残流量Ｑを計算し、流量変化分からＴ′の増減分を計算し、Ｓ２６のＴ′に加算または減算する（Ｓ３３）。
【００３２】
また、Ｓ２６のＴ′が時間の経過と共に０になった時（Ｓ２８）で、Ｓ３４の判断の時、一定時間の誤差（たとえば３０秒以内）で設定水位になっていれば今回の総お湯張り時間Ｔｔと（Ｓ３１）、総お湯張り量Ｑ０をメモリーに書き込む（Ｓ３２）。まだ終了していない場合は、それまでの積算流量から残流量Ｑを計算し、その値と流量ｑとでＴ′を新たに計算し（Ｔ′＝Ｑ／ｑ）、Ｓ２６に加算する（Ｓ３５）。
【００３３】
一方、Ｓ２６のＴ′が０になっていないにもかかわらず、設定水位になった場合は（Ｓ２９）、直ちにＴ′＝０を表示し（Ｓ３０）、次回のお湯張り用に、今回の総お湯張り時間Ｔｔ（Ｓ３１）と、総お湯張り量Ｑ０（Ｓ３２）と共にメモリーに記憶する。
【００３４】
そして最後に、この総お湯張り時間Ｔｔと、Ｓ３で計算、記憶したお湯張り時間Ｔとを用いて、ΔＴを計算し（ΔＴ＝Ｔｔ−Ｔ）次回のお湯張りに使用する（Ｓ３６）。
【００３５】
【発明の効果】
以上のように本発明によれば、使用者に正確なお湯張り完了時間を提供できる、使い勝手のよい風呂給湯装置を提供することができる。
【図面の簡単な説明】
【図１】本発明の実施例１における風呂給湯装置の全体構成図
【図２】本発明の実施例２の風呂給湯装置の全体構成図
【図３】本発明の実施例１の風呂給湯装置における動作フローチャート
【図４】本発明の実施例２の風呂給湯装置における動作フローチャート
【図５】従来の風呂給湯装置の動作フローチャート
【符号の説明】
１  風呂給湯装置
２  流量測定装置
４  開閉弁
５  制御装置
６  リモコン
７  画面
８  スピーカー
【図１】
2004347226.tif 000003
【図２】
2004347226.tif 000004
【図３】
2004347226.tif 000005
【図４】
2004347226.tif 000006
【図５】
2004347226.tif 000007